(57)【特許請求の範囲】
【請求項１】
圧縮機及び室外熱交換器を備えた室外ユニットと、室内熱交換器を備えた複数台の室内ユニットとがユニット間配管により接続され、上記室外熱交換器の一端が、上記圧縮機の冷媒吐出管と冷媒吸込管とに択一に接続され、上記ユニット間配管が、上記冷媒吐出管に接続された高圧ガス管と、上記冷媒吸込管に接続された低圧ガス管と、上記室外熱交換の他端に接続された液管とを有して構成され、
上記各室内ユニットは、上記室内熱交換器の一端が上記高圧ガス管と上記低圧ガス管に弁ユニットを介して択一に接続され、他端が上記液管に接続され、これら複数台の室内ユニットを同時に冷房運転若しくは暖房運転可能とし、または、これらの冷房運転と暖房運転を混在して実施可能とするよう構成された空気調和装置において、
上記室外熱交換器の一端と上記冷媒吸込管とを接続する流量調整可能なバイパス配管を備え、
前記複数台の室内ユニットの冷房運転と暖房運転を混在して運転している間、前記複数台の室内ユニットの冷暖房負荷の変動に対応して、前記圧縮機の運転を継続しつつ、前記室外熱交換器内に貯溜された液冷媒を、前記バイパス配管を通じて前記冷媒吸込管へ戻した後に前記室外熱交換器を凝縮器から蒸発器へ切り替える
ことを特徴とする空気調和装置。
【請求項２】
上記バイパス配管には、開閉弁と、冷媒を流量調整可能な絞り部材とが配設されたことを特徴とする請求項１に記載の空気調和装置。
【請求項３】
上記バイパス配管には、冷媒を流量調整可能な流量調整弁が配設されたことを特徴とする請求項１に記載の空気調和装置。
【請求項４】
圧縮機及び室外熱交換器を備えた室外ユニットと、室内熱交換器を備えた複数台の室内ユニットとがユニット間配管により接続され、上記室外熱交換器の一端が、上記圧縮機の冷媒吐出管と冷媒吸込管とに択一に接続され、上記ユニット間配管が、上記冷媒吐出管に接続された高圧ガス管と、上記冷媒吸込管に接続された低圧ガス管と、上記室外熱交換の他端に接続された液管とを有して構成され、
上記各室内ユニットは、上記室内熱交換器の一端が上記高圧ガス管と上記低圧ガス管に弁ユニットを介して択一に接続され、他端が上記液管に接続され、これら複数台の室内ユニットを同時に冷房運転若しくは暖房運転可能とし、または、これらの冷房運転と暖房運転を混在して実施可能とする空気調和装置の室外熱交換器切替制御方法において、
前記複数台の室内ユニットの冷房運転と暖房運転を混在して運転している間、前記複数台の室内ユニットの冷暖房負荷の変動に対応して、前記圧縮機の運転を継続しつつ、上記室外熱交換器の一端と上記冷媒吸込管とを接続するように設けた流量調整可能なバイパス配管を通じて、前記室外熱交換器内に貯溜された液冷媒を前記冷媒吸込管へ戻した後に前記室外熱交換器を凝縮器から蒸発器へ切り替えることを特徴とする空気調和装置の室外熱交換器切替制御方法。
【発明の詳細な説明】
【０００１】
【発明の属する技術分野】
本発明は室外ユニットと複数台の室内ユニットを有し、複数台の室内ユニットを同時に冷房運転もしくは暖房運転可能とし、または、これらの暖房運転と冷房運転を混在して実施可能とする空気調和装置、及び空気調和装置の室外熱交換器切替制御方法に関する。
【０００２】
【従来の技術】
複数台の室内ユニットを同時に冷房運転もしくは暖房運転可能とし、または、これらの暖房運転と冷房運転を混在して実施可能とする空気調和装置は、例えば特許２８０４５２７号公報などに掲載されている。このような空気調和装置では、圧縮機及び室外熱交換器を備えた室外ユニットと、室内熱交換器を備えた室内ユニットとがユニット間配管により接続されて構成されている。
【０００３】
室外ユニットにおける室外熱交換器の一端が、四方弁を介して圧縮機の冷媒吐出管と冷媒吸込管とに択一に接続されている。また、上記ユニット間配管は、冷媒吐出管に接続された高圧ガス配管と、冷媒吸込管に接続された低圧ガス管と、上記室外熱交換器の他端に接続された液管とを有して構成される。
【０００４】
一方、室内ユニットは、室内熱交換器の一端が、ユニット間配管の高圧ガス管と低圧ガス管とに弁ユニットを介して択一に接続され、他端がユニット間配管の液管に接続されている。
【０００５】
このような空気調和装置では、室内ユニットの冷暖房負荷の変動に対応して、室外ユニットの室外熱交換器を凝縮器から蒸発器へ、或いは蒸発器から凝縮器へそれぞれ切り換える必要がある。
【０００６】
このうち、室内ユニットの冷暖房負荷に対応して、室外熱交換器を凝縮器から蒸発器へ切り換える際には、凝縮器として機能した室外熱交換器に貯溜された液冷媒が、アキュムレータの容量を超えて圧縮機内へ大量に流れ込んでしまい、圧縮機に液バックが発生する恐れがある。
【０００７】
この液バックを回避するために、室外熱交換器を凝縮器から蒸発器へ切り換える前に、圧縮機を一旦停止させたり、または圧縮機を停止させず、室外熱交換器に貯溜された液冷媒を停止状態にある室内ユニットへ流している。このようにして室外熱交換器内に大量の液冷媒が存在しなくなった段階で、室外熱交換器を蒸発器へ切り換えている。
【０００８】
【発明が解決しようとする課題】
ところが、上述のような従来技術では、室外熱交換器を凝縮器から蒸発器へ切り換える際に、一旦圧縮機を停止させて、空気調和装置の運転を停止させなければならず、空気調和装置の快適な運転を阻害するものとなっている。また、停止状態の室内ユニットへ室外熱交換器から液冷媒を流す場合には、当該室内ユニットに耳障りな騒音が生じて、このときも空気調和装置の快適な運転を実現できない。
【０００９】
本発明の目的は、上述の事情を考慮してなされたものであり、室内ユニットの冷暖房負荷の変動に対応する室外熱交換器の切替を、空気調和装置の快適性を維持しつつ実施できる空気調和装置、及び空気調和装置の室外熱交換器切替制御方法を提供することにある。
【００１０】
【課題を解決するための手段】
請求項１に記載の発明は、圧縮機及び室外熱交換器を備えた室外ユニットと、室内熱交換器を備えた複数台の室内ユニットとがユニット間配管により接続され、上記室外熱交換器の一端が、上記圧縮機の冷媒吐出管と冷媒吸込管とに択一に接続され、上記ユニット間配管が、上記冷媒吐出管に接続された高圧ガス管と、上記冷媒吸込管に接続された低圧ガス管と、上記室外熱交換の他端に接続された液管とを有して構成され、上記各室内ユニットは、上記室内熱交換器の一端が上記高圧ガス管と上記低圧ガス管に弁ユニットを介して択一に接続され、他端が上記液管に接続され、これら複数台の室内ユニットを同時に冷房運転若しくは暖房運転可能とし、または、これらの冷房運転と暖房運転を混在して実施可能とするよう構成された空気調和装置において、上記室外熱交換器の一端と上記冷媒吸込管とを接続する流量調整可能なバイパス配管を備え、前記複数台の室内ユニットの冷房運転と暖房運転を混在して運転している間、前記複数台の室内ユニットの冷暖房負荷の変動に対応して、前記圧縮機の運転を継続しつつ、前記室外熱交換器内に貯溜された液冷媒を、前記バイパス配管を通じて前記冷媒吸込管へ戻した後に前記室外熱交換器を凝縮器から蒸発器へ切り替えることを特徴とするものである。
【００１１】
請求項２に記載の発明は、請求項１に記載の発明において、上記バイパス配管には、開閉弁と、冷媒を流量調整可能な絞り部材とが配設されたことを特徴とするものである。
【００１２】
請求項３に記載の発明は、請求項１に記載の発明において、上記バイパス配管には、冷媒を流量調整可能な流量調整弁が配設されたことを特徴とするものである。
【００１３】
請求項４に記載の発明は、圧縮機及び室外熱交換器を備えた室外ユニットと、室内熱交換器を備えた複数台の室内ユニットとがユニット間配管により接続され、上記室外熱交換器の一端が、上記圧縮機の冷媒吐出管と冷媒吸込管とに択一に接続され、上記ユニット間配管が、上記冷媒吐出管に接続された高圧ガス管と、上記冷媒吸込管に接続された低圧ガス管と、上記室外熱交換の他端に接続された液管とを有して構成され、上記各室内ユニットは、上記室内熱交換器の一端が上記高圧ガス管と上記低圧ガス管に弁ユニットを介して択一に接続され、他端が上記液管に接続され、これら複数台の室内ユニットを同時に冷房運転若しくは暖房運転可能とし、または、これらの冷房運転と暖房運転を混在して実施可能とする空気調和装置の室外熱交換器切替制御方法において、前記複数台の室内ユニットの冷房運転と暖房運転を混在して運転している間、前記複数台の室内ユニットの冷暖房負荷の変動に対応して、前記圧縮機の運転を継続しつつ、上記室外熱交換器の一端と上記冷媒吸込管とを接続するように設けた流量調整可能なバイパス配管を通じて、前記室外熱交換器内に貯溜された液冷媒を前記冷媒吸込管へ戻した後に前記室外熱交換器を凝縮器から蒸発器へ切り替えることを特徴とするものである。
【００１４】
請求項１、２または３に記載の発明には、次の作用がある。
【００１５】
室外熱交換器の一端と冷媒吸込管とが、流量調整可能なバイパス配管にて接続されたことから、室内ユニットの冷暖房負荷の変動に対応して、室外ユニットの室外熱交換器を凝縮器から蒸発器に切り替える前に、凝縮器として機能する室外熱交換器に貯溜した液冷媒を、バイパス配管を介して冷媒吸込管へ徐々に戻すことができる。この結果、室外熱交換器を凝縮器から蒸発器へ切り替える際に、圧縮機に液バックが発生することを回避できるので、圧縮機の運転を継続できるとともに、停止状態の室内ユニットへ室外熱交換器内の貯溜液冷媒を流入させる必要もない。このため、空気調和装置の快適性を維持しつつ、室外熱交換器を凝縮器から蒸発器に切り替えることができる。
【００１６】
請求項４に記載の発明には、次の作用がある。
【００１７】
室内ユニットの冷暖房負荷の変動に対応して室外熱交換器を凝縮器から蒸発器へ切り替える前に、当該室外熱交換器内に貯溜された液冷媒を冷媒吸込管へ戻すよう制御することから、この室外熱交換器内の液冷媒を冷媒吸込管へ徐々に戻すことによって、圧縮機に液バックが発生することを回避できる。この結果、圧縮機の運転を継続できるとともに、停止状態の室内ユニットへ室外熱交換器内の貯溜液冷媒を流入させる必要もなくなるため、空気調和装置の快適性を維持しつつ、室外熱交換器を凝縮器から蒸発器に切り替えることができる。
【００１８】
【発明の実施の形態】
以下、本発明の実施の形態を、図面に基づき説明する。
【００１９】
図１は、本発明に係る空気調和装置の一実施の形態を示す冷媒回路図であり、室内ユニットが全て冷房運転の場合を示す図である。
この空気調和装置３０は、圧縮機２、室外熱交換器３ａ、３ｂ及び室外膨張弁２７ａ、２７ｂを備えた室外ユニット１と、室内熱交換器６ａ及び室内膨張弁１８ａを備えた室内ユニット５ａと、室内熱交換器６ｂ及び室内膨張弁１８ｂを備えた室内ユニット５ｂとを有して構成される。そして、これらの室外ユニット１と室内ユニット５ａ、５ｂとがユニット間配管１０により接続されて、空気調和装置３０は、室内ユニット５ａ、５ｂを同時に冷房運転もしくは暖房運転可能とし、または、これらの冷房運転と暖房運転とを混在して実施可能とする。
【００２０】
上記室外ユニット１では、室外熱交換器３ａ及び３ｂの一端が、圧縮機２の吐出管７と吸込管８とに、四方弁９を介して択一に接続されている。この吐出管７にオイルセパレータ３１が配設され、吸込管８にアキュムレータ４が配設されている。更に、圧縮機２は、エンジン３２により駆動可能とされ、このエンジン３２の回転数により容量が変更可能とされる。
【００２１】
上記ユニット間配管１０は、高圧ガス管１１、低圧ガス管１２及び液管１３を備えてなる。高圧ガス管１１が吐出管７に接続され、低圧ガス管１２が吸込管８に接続される。液管１３は、レシーバタンク３３並びに室外膨張弁２７ａ及び２７ｂを介して、室外熱交換器３ａ及び３ｂの他端に接続される。
【００２２】
上記室内ユニット５ａ、５ｂのそれぞれの室内熱交換器６ａ、６ｂは、それらの他端が、室内膨張弁１８ａを配設した液分岐管１９ａ、室内膨張弁１８ｂを配設した液分岐管１９ｂを介して液管１３にそれぞれ接続される。
【００２３】
また、上記室内ユニット５ａの室内熱交換器６ａは、その一端が、ガス分岐管１４ａを介して高圧ガス管１１に接続されるとともに、ガス分岐管１５ａを介して低圧ガス管１２に接続される。また、上記室内ユニット５ｂの室内熱交換器６ｂは、その一端が、ガス分岐管１４ｂを介して高圧ガス管１１に接続されるとともに、ガス分岐管１５ｂを介して低圧ガス管１２に接続される。
【００２４】
ガス分岐管１４ａ、１４ｂのそれぞれに、吐出側弁１６ａ、１６ｂが配設される。また、ガス分岐管１５ａ、１５ｂのそれぞれに、吸込側弁１７ａ、１７ｂが配設される。吐出側弁１６ａ及び吸込側弁１７ａを備えて分岐弁ユニット２０ａが構成される。同様に、吐出側弁１６ｂ及び吸込側弁１７ｂを備えて分岐弁ユニット２０ｂが構成される。
【００２５】
吐出側弁１６ａと吸込側弁１７ａは、一方が開操作された時、他方が閉操作される。吐出側弁１６ｂと吸込側弁１７ｂも、同様に、一方が開操作された時、他方が閉操作される。これにより、各室内熱交換器６ａ、６ｂの一端は、分岐弁ユニット２０ａ、２０ｂのそれぞれにより、ユニット間配管１０の高圧ガス管１１と低圧ガス管１２とに択一に接続される。
【００２６】
室内ユニット５ａは更に室内ファン２３ａを有し、同様に、室内ユニット５ｂは室内ファン２３ｂを有する。各室内ファン２３ａ、２３ｂは、室内熱交換器６ａ、６ｂのそれぞれに近接配置されて、これらそれぞれの室内熱交換器６ａ、６ｂに送風する。
【００２７】
なお、図１〜図３中の符号３４ａ、３４ｂは、冷媒を室外熱交換器３ａ、３ｂへ選択的に流す開閉型の吐出弁である。また、符号２８は、室外熱交換器３ａ、３ｂへ送風する室外ファンである。
【００２８】
上述のように構成された空気調和装置３０の冷房運転と暖房運転を次に説明する。
【００２９】
全室内ユニット５ａ、５ｂを同時に冷房する場合は、図１に示すように、室外熱交換器３ａ及び３ｂの一端が吐出管７に接続されるように四方弁９を切り替え、且つ分岐弁ユニット２０ａ、２０ｂの吐出側弁１６ａ、１６ｂを閉じるとともに、吸込側弁１７ａ、１７ｂを開く。これにより、圧縮機２から吐出された冷媒は、吐出管７、オイルセパレータ３１、四方弁９、室外熱交換器３ａ、３ｂへと順次流れ、凝縮器として機能するこの室外熱交換器３ａ、３ｂで凝縮液化した後、室外膨張弁２７ａ、２７ｂ並びにレシーバタンク３３を経、更に液管１３と液分岐管１９ａ、１９ｂを経て、各室ユニット５ａ、５ｂの室内膨張弁１８ａ、１８ｂに分配され、ここで減圧される。しかる後、冷媒は、各室内熱交換器６ａ、６ｂで蒸発気化した後、それぞれ吸込側弁１７ａ、１７ｂを流れ、その後、低圧ガス管１２、吸込管８、アキュムレータ４を順次経て圧縮機２に吸入される。このように、蒸発器として機能する各室内熱交換器６ａ、６ｂの作用で全室内ユニット５ａ、５ｂが同時に冷房される。
【００３０】
逆に、全室内ユニット５ａ、５ｂを同時に暖房する場合には、図２に示すように、室外熱交換器３ａ及び３ｂの一端が吸込管８に接続されるように四方弁９を切り替え、且つ分岐弁ユニット２０ａ、２０ｂの吐出側弁１６ａ、１６ｂを開くとともに、吸込側弁１７ａ、１７ｂを閉じる。これにより、圧縮機２から吐出された冷媒は、吐出管７、高圧ガス管１１を順次経てガス分岐管１４ａ、１４ｂに分配された後、吐出側弁１６ａ、１６ｂ、凝縮器として機能する室内熱交換器６ａ、６ｂへと流れ、ここでそれぞれ凝縮液化した後、液分岐管１９ａ、１９ｂを経て液管１３で合流される。しかる後、レシーバタンク３３を経て室外膨張弁２７ａ、２７ｂで減圧され、蒸発器として機能する室外熱交換器３ａ、３ｂで蒸発気化した後、四方弁９、吸込管８、アキュムレータ４を順次経て圧縮機２に吸入される。このように凝縮器として機能する各室内熱交換器６ａ、６ｂの作用で、全室内ユニット５ａ、５ｂが同時に暖房される。
【００３１】
また、例えば室内ユニット５ａを冷房し、室内ユニット５ｂを暖房する場合には、図３に示すように、室外熱交換器３ａの一端が吸込管８に接続されるように四方弁９を切り替え、且つ、冷房する室内ユニット５ａに対応する分岐弁ユニット２０ａの吐出側弁１６ａを閉じるとともに、吸込側弁１７ａを開き、且つ暖房する室内ユニット５ｂに対応する分岐弁ユニット２０ｂの吐出側弁１６ｂを開くとともに、吸込側弁１７ｂを閉じる。すると、圧縮機２から吐出された冷媒が吐出管７、高圧ガス管１１を経て、暖房する室内ユニット５ｂに対応する分岐弁ユニット２０ｂの吐出側弁１６ｂ、凝縮器として機能する室内熱交換器６ｂへと流れ、この室内熱交換器６ｂで凝縮液化する。
【００３２】
そして、この室内熱交換器６ｂで凝縮液化した冷媒は、一部が、液管１３を経て室内ユニット５ａの室内膨張弁１８ａで減圧された後、蒸発器として機能する室内熱交換器６ａで蒸発気化し、吸込側弁１７ａ及び低圧ガス管１２を経て吸込管８へ流れる。また、室内熱交換器６ｂで凝縮液化した残りの冷媒は、液管１３を流れ、レシーバタンク３３を経て室外膨張弁２７ａで膨張され、蒸発器として機能する室外熱交換器３ａ、四方弁９を経て吸込管８へ流入する。
【００３３】
上述の室内熱交換器６ａ、室外熱交換器３ａでそれぞれ蒸発した冷媒は、吸込管８で合流され、アキュムレータ４を順次経て圧縮機２に吸入される。このように、凝縮器として機能する室内熱交換器６ｂの作用で室内ユニット５ｂが暖房され、蒸発器として機能する他の室内熱交換器６ａの作用で室内ユニット５ａが冷房される。
【００３４】
以上の如く、冷房する室内ユニット５ａ、５ｂの冷房容量（冷房負荷）が暖房する室内ユニット５ａ、５ｂの暖房容量（暖房負荷）よりも多いときは室外熱交換器３ａ、３ｂを凝縮器として、逆に、冷房する室内ユニット５ａ、５ｂの冷房容量（冷房負荷）が暖房する室内ユニット５ａ、５ｂの暖房容量（暖房負荷）よりも少ないときは室外熱交換器３３ａ、３ｂを蒸発器として機能させることにより、任意の室内ユニット５ａ、５ｂを自由に冷暖房することができる。
【００３５】
ところで、上記室外ユニット１においては、室外熱交換器３ａ及び３ｂの一端と吸込管８とがバイパス配管３５にて接続され、このバイパス配管３５に、開閉弁としての冷媒回収弁３６ａ及び３６ｂと、絞り部材としてのキャピラリチューブ３７が配設されている。
【００３６】
つまり、室外熱交換器３ａの一端と吐出管３４ａ間の配管に、冷媒回収弁３６ａを備えたバイパス分岐管３５ａが接続され、室外熱交換器３ｂの一端と吐出管３４ｂ間の配管に、冷媒回収弁３６ｂを備えたバイパス分岐管３５ｂが接続されている。これらのバイパス分岐管３５ａ及び３５ｂは、キャピラリチューブ３７を備えたバイパス合流管３５ｃにて合流され、このバイパス合流管３５ｃが、吸込管８におけるアキュムレータ４の上流側に接続される。上記バイパス分岐管３５ａ、３５ｂ及びバイパス合流管３５ｃによりバイパス配管３５が構成される。また、上記キャピラリチューブ３７により、バイパス配管３５内を流れる冷媒の流量が調整可能とされる。
【００３７】
前述の如く、室内ユニット５ａ及び５ｂの冷暖房負荷の変動に対応して四方弁９が、室外熱交換器３ａ及び３ｂを凝縮器から蒸発器へ、また蒸発器から凝縮器へと切り換える。
【００３８】
このうち、四方弁９が室外熱交換器３ａ及び３ｂを凝縮器から蒸発器へと切り換える際、この切換のための四方弁９の操作前に、凝縮器として機能した室外熱交換器３ａ及び３ｂに貯溜された液冷媒が、バイパス配管３５を経て吸込管８内へ戻されるよう制御する。この制御では、キャピラリチューブ３７の作用によって、室外熱交換器３ａ及び３ｂ内の貯溜液冷媒が吸込管８へ徐々に戻されることになる。これによって、アキュムレータ４の容量を超えて圧縮機２内に大量の液冷媒が流入することが防止されて、圧縮機２に液バックの発生を阻止できる。
【００３９】
上述のようにして、凝縮器として機能した室外熱交換器３ａ及び３ｂ内に貯溜された液冷媒が吸込管８側へ十分に排出された後に、四方弁９が操作されて、室外熱交換器３ａ及び３ｂが凝縮器から蒸発器へと切り換えられる。
【００４０】
以上のように構成されたことから、上記実施の形態によれば、次の効果を奏する。
【００４１】
つまり、室外熱交換器３ａ及び３ｂの一端と吸込管８とが、流量調整可能なキャピラリチューブ３７と冷媒回収弁３６ａ及び３６ｂとを備えたバイパス配管３５によって接続されたことから、室内ユニット５ａ、５ｂの冷暖房負荷の変動に対応して、室外ユニット１の室外熱交換器３ａ及び３ｂを凝縮器から蒸発器に切り換える前に、凝縮器として機能する室外熱交換器３ａ及び３ｂ内に貯溜した液冷媒を、バイパス配管３５を介して吸込管８へ徐々に戻すことができる。この結果、室外熱交換器３ａ及び３ｂを凝縮器から蒸発器へ切り換える際に、圧縮機２に液バックが発生することを回避できるので、圧縮機２の運転を継続できると共に、停止状態の室内ユニット５ａ、５ｃへ室外熱交換器３ａ、３ｂ内の貯溜液冷媒を流入させることもない。このため、空気調和装置３０を連続運転できると共に、停止状態の室内ユニット５ａ、５ｂに冷媒流入による耳障りな騒音が発生しないので、空気調和装置３０の快適性を維持しつつ、室外熱交換器３ａ及び３ｂを凝縮器から蒸発器に切り換えることができる。
【００４２】
以上、本発明を上記実施の形態に基づいて説明したが、本発明はこれに限定されるものではない。
【００４３】
例えば、上記実施の形態では、バイパス配管３５は、開閉弁としての冷媒回収弁３６ａ及び３６ｂと、冷媒の流量調整可能なキャピラリチューブ３７とを有するものを述べたが、これらの冷媒回収弁３６ａ、３６ｂ及びキャピラリチューブ３７に代えて、冷媒の流量を調整可能な流量調整弁を有するものであってもよい。
【００４４】
【発明の効果】
請求項１乃至３に記載の発明に係る空気調和装置によれば、室内ユニットの冷暖房負荷の変動に対応する室外熱交換器の切替を、空気調和装置の快適性を維持しつつ実施できる。
【００４５】
請求項４に記載の発明に係る空気調和装置の室外熱交換器切替制御方法によれば、室内ユニットの冷暖房負荷の変動に対応する室外熱交換器の切替を、空気調和装置の快適性を維持しつつ実施できる。
【図面の簡単な説明】
【図１】本発明に係る空気調和装置の一実施の形態を示す冷媒回路図であり、室内ユニットが全て冷房運転の場合を示す図である。
【図２】図１の冷媒回路図において、室内ユニットが全て暖房運転の場合を示す図である。
【図３】図１の冷媒回路図において、異なる室内ユニットの一方が冷房運転、他方が暖房運転の場合を示す図である。
【符号の説明】
１  室外ユニット
２  圧縮機
３ａ、３ｂ  室外熱交換器
５ａ、５ｂ  室内ユニット
６ａ、６ｂ  室内熱交換器
７  吐出管（冷媒吐出管）
８  吸込管（冷媒吸込管）
９  四方弁
１０  ユニット間配管
１１  高圧ガス管
１２  低圧ガス管
１３  液管
２０ａ、２０ｂ  分岐弁ユニット（弁ユニット）
３０  空気調和装置
３５  バイパス配管
３６ａ、３６ｂ  冷媒回収弁（開閉弁）
３７  キャピラリチューブ（絞り部材）
【図１】
0004090238.tif 000002
【図２】
0004090238.tif 000003
【図３】
0004090238.tif 000004